(57)【要約】      （修正有）【課題】コストが低い、使用し易い、切れと梱包散らしが発生し難いように各種の型名のパイプ材に広範に運用できるブラケットを提供する。【解決手段】パイプ材梱包設備領域に係り、具体的に、梱包ブラケットに係るものである。現有の梱包ブラケット梱包テープの散らし易い、コストが高い、各種の型式のパイプ材に広範に運用できない不足点を克服した。これは、竜骨、ねじマンドレル、ブラケット、スペーサー、滑り防止筋を含み、ブラケットとスペーサーが竜骨に直列され、竜骨の両端がねじマンドレルに嵌められて、ブラケットの一端が広く、一端が狭く、二つの狭い端が連接してノッチを形成し、ノッチの上に滑り防止筋を有する。本物品は、コストが低く、使用が便利で、切れと包装散らしが発生し難く、各種類のパイプ材の梱包ブラケット広範に応用できる。【選択図】図１
0003163785.tif 000002
【実用新案登録請求の範囲】
【請求項１】
梱包ブラケットであって、竜骨ねじマンドレル、ブラケット、スペーサー、滑り防止筋を含み、ブラケットとスペーサーが竜骨に繋がれて、竜骨の両端がねじマンドレルに嵌められ、ブラケットの一端が広く、他の一端が狭く、二つの狭い端が繋いで、ノッチになり、ノッチに、滑り防止筋を含むことを特徴とする梱包ブラケット。
【請求項２】
カバーも含み、カバーが竜骨の両端にあるとともに、竜骨に固定連接することを特徴とする請求項１記載の梱包ブラケット。
【請求項３】
ネジファスナーも含み、ネジファスナーがねじマンドレル頂上部にあることを特徴とする請求項１記載の梱包ブラケット。
【請求項４】
上記のネジファスナーはナットも含み、ナットがねじマンドレル頂上部にあることを特徴とする請求項３記載の梱包ブラケット。
【請求項５】
上記ネジファスナーが鉄製部品スペーサー、スプリングワッシャーも含む、ナットがねじマンドレル頂上部の一番外側にあり、内に相次いで鉄製部品スペーサー、スプリングワッシャーで、ねじマンドレル頂上部にあることを特徴とする請求項４記載の梱包ブラケット。
【請求項６】
上記の竜骨はU形竜骨であることを特徴とする請求項１記載の梱包ブラケット。
【請求項７】
羽目板も含む、羽目板は竜骨U形開口側の幅と殆ど一致する板状で、竜骨と一緒にブラケット内に嵌められることを特徴とする請求項１記載の梱包ブラケット。
【請求項８】
上記のブラケットで形成したノッチは外縁広い内縁狭い規則形状であることを特徴とする請求項１記載の梱包ブラケット。
【請求項９】
ノッチが台形又は円弧形であることを特徴とする請求項８記載の梱包ブラケット。
【考案の詳細な説明】
【考案の詳細な説明】
【０００１】
〔技術分野〕
本考案はパイプ材梱包設備領域に係り、具体的に梱包ブラケットに係るものである。
【０００２】
〔背景技術〕
パイプ材、例えばオイルパイプ又はドリルパイプについて、運輸又は貯蔵中、衝撃と損壊を防止する為に、梱包する必要がある。現有の技術の中で、ある一種の梱包ブラケットが金属製で、強度が強い、丈夫で耐用である。但し、その梱包ブラケットは海上運輸又は長時間貯蔵の状況の下で腐食されやすい。また、梱包ブラケットとドリルパイプ又はオイルパイプとの接触箇所でパイプが腐食されやすい。その上に、コストが高く、価格が高い。そのほか、一種の硬い木梱包ブラケットもある。硬い木構造の梱包ブラケットを使用する際に、鉄製梱包テープを合わせて使用しなければならない。梱包テープがパイプと直接接触して、運輸中梱包テープを振動すると、パイプを磨耗し、パイプの錆防止層を破って、パイプに錆が発生する。硬い木構造の梱包ブラケットが長方形梱包を包装し、梱包テープの応力方向が円形であり、この二種類の応力方向に矛盾が発生した為、積卸と運輸過程中、木が切れて、散らし易いである。外力作用の下で包装テープが切れて、散らしが発生し易い。現有技術の中で、一種のラジッドプラスチック構造の梱包ブラケットもある。即ち、現有技術で一番よく見られる梱包ブラケットで、内長方形鋼管を採用して射出成形を行い、成形製品は各型名に相応するオイルパイプ又はドリルパイプしか使用できず、価格が高いである。プラスチック包装鋼構造の梱包ブラケットを使用するには、鉄製梱包テープを合わせて使用しなければならないので、更にコストが増えた。プラスチック包装鋼構造の梱包ブラケットの包装対象が長方形の梱包で、梱包テープの応力方向が円形であるので、二種類の応力方向に矛盾が発生し、中間のパイプが硬く挟まれず、積卸中パイプずれが発生しやすく、梱包テープが切れて梱包散らしが発生し易い。現有技術で一種のプラスチック包装構造に付け具を合わせる連接梱包ブラケットもあり、内長方形鋼管射出成形加工を採用し、単に成形製品が相応的な単型名オイルパイプ又はドリルパイプを合わせできる。付け具にプレス工芸を採用して、プロセスが複雑で、コストが高く、ブラケットの価格が高い。
【０００３】
〔考案の開示〕
〔考案が解決しようとする課題〕
本考案は現有の梱包ブラケット梱包テープの散らし易い、コストが高い、使用するには都合が悪い、各種の型名のパイプ材に広範に運用できない不足点を克服する為に、コストが低い、使用し易い、切れと梱包散らしが発生し難いように各種の型名のパイプ材に広範に運用できるブラケットを提供することを目的にしたものである。
【０００４】
〔課題を解決するための手段〕
本考案は上記の課題を解決するために、下記の提案を採用する、すなわち、竜骨ねじマンドレルと、ブラケットと、スペーサーと、滑り防止筋とを含み、ブラケットとスペーサーが竜骨に繋がれて、竜骨の両端がねじマンドレルに嵌められ、ブラケットの一端が広く、他の一端が狭く、二つの狭い端が繋いで、ノッチになり、ノッチに、滑り防止筋を含む梱包ブラケットを提供する。
【０００５】
さらに、本考案はカバーを含み、カバーが竜骨の両端にあるとともに、竜骨に固定連接する。上述の固定連接については溶接固定、嵌め合う固定又はネジ固定等の現有技術の固定連接方式が良く、溶接連接が好ましい。
【０００６】
また、本考案はネジファスナーを含み、ネジファスナーがねじマンドレル頂上部にあり、現存技術のネジファスナーである。
【０００７】
上記のネジファスナーはナットを含み、鉄製部品スペーサー、スプリングワッシャーも含める。ナットがねじマンドレル頂上部の一番外側にあり、内に相次いで鉄製部品スペーサー、スプリングワッシャーであり、ねじマンドレル頂上部にあり、竜骨をねじマンドレルに堅く固定する。
【０００８】
上記の竜骨はU形竜骨である。
【０００９】
その上、羽目板を含むこともできる。羽目板が竜骨U形開口側の幅と殆ど同じ板状で、竜骨と一緒にブラケットの内に嵌められて、応力面積を増加し、竜骨によるブラケットの切り傷を避ける。
【００１０】
上述のブラケットにより形成されたノッチは、外縁が広く、内縁が狭い規則形状であり、例えば台形、三角形、円弧形等、台形と円弧形は好ましい。台形ノッチが各種型名のパイプ材に適用し、円弧形が特定の型名のパイプ材使用に適用する。
【００１１】
ブラケットはプラスチックブラケットで、スペーサーはプラスチックスペーサーである。
【００１２】
〔考案の効果〕
本実用新案は現有技術と比べて、有益効果が下記の通り：
1.本実用新案では、梱包ブラケットとドリルパイプ、オイルパイプとの接触面に滑り防止筋が設置されて、U型竜骨は、国家標準に合う炭素鋼板（厚度在3.5mm以上）を採用して、金型でプレスして製作された。プラスチックブラケットとプラスチックスペーサーを竜骨に直列し、二本のカバーで電気溶接して両端を密封して支えとし、上下二層に鉄製部品スペーサー、鉄製部品ネジファスナーを溶接し、それにねじマンドレル、螺帽、スプリングワッシャーを合わせて梱包する。ブラケットはラジッドプラスチックを組み合わせて成される。製品品質に影響しない前提の下で、客先ニーズによってドリルパイプオイルパイプ本数を勝手に包装できる。ブラケットは長方形の包みで、ねじマンドレル連接応力方向が一致である。すべての鉄部品がドリルパイプと金属接触せず、パイプ主体を傷害する現象がない。プラスチックブラケットに滑り筋を有し、梱包済みのパイプに位置ずれがない。ブラケットでパイプを包装するには専用工具を使用しない。なぜかというと、ねじマンドレルとネジがすべて標準部品であるので、包装が便利である。
【００１３】
2.本実用新案製品を使用する際に、一番下方の一本のブラケット（ねじマンドレル付き）をきちんと放置して、吊りテープで1レヤーのパイプを吊って、ブラケットに放置すると、パイプが自由に排列する。これから手動で微調整をして、第二層のブラケットを放置し、第二層のパイプを放置する…このように包装パイプが十分になるまで実行してから、また一レヤーの鉄部品スペーサーを付くブラケットを放置し、最後にスプリングガスケットとナットを放置し、両側で均一にナットを締めつくと、包装が完成する。このように使用すると十分便利である。
【００１４】
3.本実用新案では、パイプ材を放置する梱包ブラケットのノッチが台形又は円弧形で、パイプ材表面と接する又は貼りあって、パイプ材を有効的に固定し、それに異なる直径的パイプ材使用に適する。
【００１５】
〔考案を実施するための最良の形態〕
次に本実用新案について附図と実施例を参考して更に説明する。但し、これに限られることはない。
【００１６】
図1-5で示される本実用新案梱包ブラケットの実施例を参照して下さい。
【００１７】
〔実施例〕
＜実施例１＞
梱包ブラケットであって、竜骨1，ねじマンドレル2，ブラケット3、スペーサー4、カバー5、滑り防止筋6を含み、ブラケット3とスペーサー4が竜骨1に直列され、竜骨1の両端がねじマンドレル2に嵌められ、ブラケット3の一端が広く、一端が狭く、二つの狭い端が連接して台形ノッチを形成し、二つの広い端が連接して、頂上部の平面である台形突起を形成し、ノッチに滑り防止筋6を持つ。滑り防止筋6の構造としては、数多くの細かい且つブラケット平面と垂直する滑り防止ノッチを有する。カバー5が竜骨1の両端にあるとともに、竜骨1に溶接連接する。また、ネジファスナー8もあり、下側のネジファスナー8がナットで、上方のネジファスナーが鉄製部品スペーサー10、スプリングワッシャー11も含む。ナット9がねじマンドレル2頂上部の一番外側にあり、内に相次いで鉄製部品スペーサー10、スプリングワッシャー11で、ねじマンドレル2の頂上部にあり、竜骨1をねじマンドレル2に堅く固定する。上記の竜骨1はU形竜骨である。
【００１８】
ブラケット3はプラスチックブラケット，スペーサー4はプラスチックスペーサー。
【００１９】
＜実施例２＞
梱包ブラケットであって、竜骨1、ねじマンドレル2、ブラケット3、スペーサー4，カバー5，滑り防止筋6を含み、ブラケット3とスペーサー4が竜骨1に直列され、竜骨1の両端がねじマンドレル2に嵌められ、ブラケット3の一端が広く、一端が狭く、二つの狭い端が連接して台形ノッチを形成し、二つの広い端が連接して、頂上部の平面である台形突起を形成し、ノッチに滑り防止筋6を持つ。滑り防止筋6の構造としては、数多くの細かい且つブラケット平面と垂直する滑り防止ノッチを有する。カバー5が竜骨1の両端にあるとともに、竜骨1に溶接連接する。また、ネジファスナー8もあり、下側のネジファスナー8がナットで、上方のネジファスナーが鉄製部品スペーサー10、スプリングワッシャー11も含む。ナット9がねじマンドレル2頂上部の一番外側にあり、内に相次いで鉄製部品スペーサー10、スプリングワッシャー11で、ねじマンドレル2の頂上部にあり、竜骨1をねじマンドレル2に堅く固定する。上記の竜骨1はU形竜骨である。それにも羽目板7を含む。羽目板7は竜骨U形開口側の幅と殆ど一致する板状で、竜骨1と一緒にブラケット3内に嵌められて、応力面積を増えて、ブラケット3が竜骨1によりカットされるのを防止する。
【００２０】
＜実施例３＞
一種の梱包ブラケット３で、竜骨1、ねじマンドレル2、ブラケット3、スペーサー4，カバー5，滑り防止筋6を含み、ブラケット3とスペーサー4が竜骨1に直列され、竜骨1の両端がねじマンドレル2に嵌められ、ブラケット3の一端が広く、一端が狭く、二つの狭い端が連接して円形ノッチを形成し、ノッチに滑り防止筋6を持つ。二つの広い端が連接して、頂上部が平面を形成する。カバー5が竜骨1の両端にあり、竜骨1と溶接連接する。また、ネジファスナー8もあり、下側のネジファスナー8がナットで、上方のネジファスナーが鉄部品スペーサー10、スプリングワッシャー11も含む。ナット9がねじマンドレル2頂上部の一番外側にあり、内に相次いで鉄部品スペーサー10、スプリングワッシャー11で、ねじマンドレル2の頂上部にあり、竜骨1をねじマンドレル2に堅く固定する。上記の竜骨1はU形竜骨である。それにも羽目板7を含む。羽目板7は竜骨U形開口側の幅と殆ど一致する板状で、竜骨1と一緒にブラケット3内に嵌められて、応力面積を増えて、ブラケット3が竜骨1によりカットされるのを防止する。
【００２１】
以上述べたように、実施例は本実用新案の最適な具体実施形態の一種にすぎない、該当領域の技術人員が本実用新案技術方案の範囲内で行う一般的変化と切替は本実用新案の保護範囲内あること。
【図面の簡単な説明】
【００２２】
【図１】図1は本実用新案梱包ブラケット実施例1の構造概略図である。
【図２】図2は本実用新案梱包ブラケット実施例2の構造概略図である。
【図３】図3は本実用新案梱包ブラケット実施例3的構造概略図である。
【図４】図4は本実用新案梱包ブラケット実施例1的側面構造概略図である。
【図５】図5は本実用新案梱包ブラケット実施例2又は3的側面構造概略図である。
【図１】
0003163785.tif 000003
【図２】
0003163785.tif 000004
【図３】
0003163785.tif 000005
【図４】
0003163785.tif 000006
【図５】
0003163785.tif 000007